(57)【特許請求の範囲】
【請求項１】
グリップを握るとき、グリップと手の間に介在してグリップから手への汚染を防ぐハンドカバーにおいて、
手の内側全体を覆う本体部（１１）と、
この本体部（１１）の手に対面する側の先端部に設けられて指先部が差し込み可能になっている袋部（１５）とを備え、
この袋部（１５）は、指先部の差し込み方向に向かって、指先部より大きく開口するとともに、
袋部（１５）は、親指以外の４指（４Ｆ）の指先部を差し込む４指袋部（１４）を備え、
袋部（１５）は、４指袋部（１４）に加えて、親指（３）を差し込む親指袋部（１３）を備え、
親指袋部（１３）は４指袋部（１４）を挟んで左右一対で設けられ、
左右の親指袋部（１３）と４指袋部（１４）との間にそれぞれ破断容易部（１７）が設けられていることを特徴とするハンドカバー。
【請求項２】
左右の親指袋部（１３）は一方を使用し、他方を不使用にするとともに、使用する親指袋部（１３）の破断容易部（１７）は破断されて分離部（１８）とされ、他方の親指袋部（１３）の破断容易部（１７）は破断されずそのままとされることを特徴とする請求項１のハンドカバー。
【発明の詳細な説明】
【技術分野】
【０００１】
この発明は電車の吊り輪などからなるグリップを把持するときに、予め手の内側に装着されてグリップと手の間に介在し、手の内側でグリップを覆うことにより、グリップに付着した汚れが付着して手が汚染されることを防止するハンドカバーに関する。
なお、グリップは、吊り輪や階段の手すりなど手で握る部材である。以下の説明は吊り輪を例示する。
また、ハンドカバーを構成する本体部(後述)は表裏をなす２面を備え、そのうちのグリップへ重ねる面を表面、手のひらが合わせられる面を裏面ということにする。
【背景技術】
【０００２】
このようなハンドカバーは公知である（特許文献１参照）。これを図１１及び図１２に示す。図１１に示すように、このハンドカバー１００は手のひらに納まるサイズで略方形のシート状をなし、手１へ取付けられて使用される。手すり等のグリップ９（図１２参照）を把持するとき、手１とグリップ９の間に介在し、手のひらをグリップ９へ接触させず、グリップ９の汚れが手１へ付着しないように手のひらを保護する。
【０００３】
手１は手のひら２（図４のＢ参照）と、その側部から斜めに側方へ延出する親指３（開いた状態）と、手のひらの上部（指の付け根）から前方へ延出する４指４Ｆを有する。４指４Ｆは、人差し指４、中指５、薬指６及び小指７からなる。すなわち親指３以外の４つの指の総称である。手のひらの下部は手首８（図１参照）をなす。
【０００４】
親指３と人差し指４の付け根側は股部３ａになっている。股部３ａは図示の親指３が開いた状態でＶ字状をなす。
なお、親指３は図示の開いた状態から握り位置へ回動させることができる。
親指３の握り位置は、グリップ時に中指５の付け根側となる手のひら２の上へ間隔を持って重なるように親指３を回動させたときの位置である（図４のＢ参照）。
グリップ時には、握り位置の親指３と、手のひら２及び４指４Ｆとの間にグリップ９が挟まれる。
【０００５】
ハンドカバー１００を手１へ装着する手段はリング１１０である。図１１に示すように、ハンドカバー１００の中指５及び薬指６（以下、中指等とする）が重なる略中央部分には指輪様をなすリング１１０が予め縫合されている。このリング１１０に中指等を差し込むことにより、ハンドカバー１００が手１へ取付けられる。このハンドカバー１００を装着した状態でグリップ９を握ると、図１２に示すように、ハンドカバー１００がグリップ９の外周面に巻回してグリップを覆い、グリップ９と手の間に介在する。
【先行技術文献】
【特許文献】
【０００６】
【特許文献１】特開２０１８−１５０６６２号公報
【発明の概要】
【発明が解決しようとする課題】
【０００７】
ハンドカバーは、グリップを握るとき、手をグリップと接触させないようにするためのものである。ところが、グリップと接触する可能性がある部分は、手のひらだけでなく各指も可能性がある。したがって、グリップ時には手のひらのみならず指もグリップへ接触しないようにする必要がある。
しかし、上記ハンドカバー１００は、手のひらのみを覆うものであり、指がグリップと接触する可能性があるから、より完全な汚染防止において不十分である。
【０００８】
さらに、ハンドカバーは、グリップを握るときだけ手へ装着することが求められる部材である。例えば、電車やバス等の吊り輪を握るとき、乗車時だけ素早く手に装着してグリップを握り、グリップに付着した細菌等の汚れが手のひらへ付着することを回避する。逆に降車時には汚れた面へ触れずに素早く取り外して廃棄することにより、グリップを覆っていたハンドカバーから手への汚染を防止することが必要になる。
【０００９】
しかし、上記ハンドカバー１００の手に対する装着は、リング１１０における指の太さ程度の比較的小さな開口へ中指等を差し込むことによるため、装着に比較的手間を要し、さらには取り外しにも手間を要し、迅速な脱着を実現できない。しかも、取り外すときには、グリップの汚れが付着した面に触れることによる汚染を避けるため、グリップを覆っていた面（表面）に接触しないようにして中指等をリング１１０から抜かなければならないので、ハンドカバーの表面に手を触れないよう慎重に取り外すことが要求された。
【００１０】
そのうえ、ハンドカバー１００はその略中央部にて指輪のような比較的細い幅の小さなリング１１０による１点だけで手へ装着されているので、手に対する装着状態が不安定になり、グリップを握る直前において、先端部等が折れ曲がってしまったり、横ずれして一部が手へ重ならなくなる等の不都合が生じ、迅速かつ正確に把持できないおそれがあった。
【００１１】
一方、手全体を覆うものとしては手袋の使用も考えられる。しかし、手袋は上記ハンドカバー１００以上に脱着に手間を要するとともに、例えば、右手に嵌めた手袋を、左手で脱がそうとするときには、手袋を持つ左手が手袋の表面と接触し易くなり、汚染される可能性がある。したがって、手袋は脱着性が悪く、かつ取り外し時における手袋による汚染を防止しにくい。
そこで、上記を考慮してハンドカバーを、親指袋部と４指袋部を有する構成にするとともに、４指袋部を挟んで左右に親指袋部を設け、同じハンドカバーを右手と左手で共用できるようにするとともに、このような左右共用の構成にしたとき、 親指袋部近傍に設けられた破断容易部を破断して分離部を容易に形成でき、親指袋部の４指袋部に対する異なった動きを容易にすることも望まれる。
【課題を解決するための手段】
【００１２】
上記課題を解決するため本願発明に係るハンドカバー（１０）は、手の内側全体を覆う本体部（１１）と、
この本体部（１１）の手に対面する側の先端部に設けられて指先部が差し込み可能になっている袋部（１５）とを備え、
この袋部（１５）は、指先部の差し込み方向に向かって、指先部より大きく開口するとともに、
袋部（１５）は、親指以外の４指（４Ｆ）の指先部を差し込む４指袋部（１４）を備え、
袋部（１５）は、４指袋部（１４）に加えて、親指（３）を差し込む親指袋部（１３）を備え、
親指袋部（１３）は４指袋部（１４）を挟んで左右一対で設けられ、左右の親指袋部（１３）と４指袋部（１４）との間にそれぞれ破断容易部（１７）が設けられていることを特徴とする。
また、上記構成において、左右の親指袋部（１３）の一方を使用し、他方を不使用にするとともに、使用する親指袋部（１３）の破断容易部（１７）は破断されて分離部（１８）とされ、他方の親指袋部（１３）の破断容易部（１７）は破断されずそのままとすることもできる。
【００１３】
このように、ハンドカバーを手に装着する手段として袋部を設けたので、袋部に指先部を差し込むだけで、ハンドカバーを手へ装着できる。しかも、袋部は指先部の差し込み方向に向かって指先部より大きく開口するので、指先部をスムーズに差し込むことができる。したがって、ハンドカバーの装着が迅速かつ簡単になる。
【００１４】
袋部は、内部へ入った指先部に係止され、指先部に支持される。このため、ハンドカバーは袋部を介して指先部に支持された状態で手へ安定して装着され、グリップを握るときは、把持に先立って先端部が折れ曲がってしまう等の不都合を生じない。
【００１５】
また、グリップ時にはハンドカバーがグリップの周囲を覆い、かつ本体部が手の内側全体を覆うとともに、グリップを握る各指は袋部へ入っているため、グリップと隔離されて汚染から保護される。
その結果、手のひらのみならず指を含めた手の内側全体をグリップへ触れさせずにグリップを握ることができる。
【００１６】
グリップの握りを解いてハンドカバーを手から取り外すときは、指先部を袋部から速やかに抜き出すだけで迅速かつ容易に取り外し、迅速に廃棄できる。しかも汚染された本体部の表面へ触れずに取り外すことができる。
また、４指袋部を挟んで親指袋部を左右一対で備えると、左右いずれの手を用いても、４指を共通の４指袋部へ差し込むとともに、親指を左右いずれかの親指袋部へ差し込むことができるので、同じハンドカバーを右手と左手で共用できるようになる。
さらに、左右の親指袋部と４指袋部との間にそれぞれ破断容易部を設けることにより、左右どちらの手を使った場合側でも、使用する側の親指袋部近傍に設けられた破断容易部を破断して分離部を容易に形成でき、親指袋部の４指袋部に対する異なった動きを容易にする。
一方、使用しない親指袋部側の破断容易部をそのままとすることにより、使用しない親指袋部４指袋部に連結して、親指袋部が不用意に折れ曲がるなどの不都合な動きを防止できる。このため、左右いずれの手でもハンドカバーの確実な使用を可能にする。
そのうえ、グリップ時における親指と４指の動きが異なるが、親指が差し込まれた親指袋部と４指袋部との間に分離部を形成すると、親指袋部が４指袋部と独立して動くことを可能にする。このため、親指と４指との機能差に合わせて親指袋部を動かしてグリップを一層容易にする。
【発明の効果】
【００１７】
ハンドカバーは、指先部の差し込み方向へ向かって指先部より大きく開口している袋部を備えるので、この袋部へ指先部をスムーズに差し込むことができ、袋部を指先部に係止させることができる。これにより、ハンドカバーを容易かつ迅速に手へ装着できる。
また、袋部が指先部に係止されることにより、ハンドカバーの装着は安定したものになる。このため、グリップを握り、ハンドカバーで迅速かつ正確にグリップを覆うことができる。
【００１８】
さらに、袋部が指先を覆い、かつ本体部は手の内側全体を覆うので、グリップ時には、本体部により手のひらのみならず指も含む手の内側全体をグリップへ接触させないようにでき、グリップから手への汚染をより完全に防止できる。
【００１９】
グリップの握りを解いてハンドカバーを手から取り外すときは、指先部を袋部から速やかに抜き出すことができるため、ハンドカバーを容易かつ迅速に取り外しできる。
また、汚染された本体部の表面へ手を触れずに取り外すことができるので、より確実な汚染防止を実現できる。
また、４指袋部を挟んで親指袋部を左右一対で備えると、左右いずれの手を用いても、４指を共通の４指袋部へ差し込むとともに、親指を左右いずれかの親指袋部へ差し込むことができるので、同じハンドカバーを右手と左手で共用できるようになる。
さらに、左右の親指袋部と４指袋部との間にそれぞれ破断容易部を設けることにより、左右どちらの手を使った場合側でも、使用する側の親指袋部近傍に設けられた破断容易部を破断して分離部を容易に形成でき、親指袋部の４指袋部に対する異なった動きを容易にすることができる。
一方、使用しない親指袋部側の破断容易部をそのままとすることにより、使用しない親指袋部４指袋部に連結して、親指袋部が不用意に折れ曲がるなどの不都合な動きを防止できる。このため、左右いずれの手でもハンドカバーの確実な使用を可能にすることができる。
そのうえ、グリップ時における親指と４指の動きが異なるが、親指が差し込まれた親指袋部と４指袋部との間に分離部を形成すると、親指袋部が４指袋部と独立して動くことを可能にする。このため、親指と４指との機能差に合わせて親指袋部を動かしてグリップを一層容易にすることができる。
【図面の簡単な説明】
【００２０】
【図１】実施例(図１〜７)におけるハンドカバー（左手装着状態）の平面図
【図２】上記ハンドカバーの平面図
【図３】図２の３−３線に沿う断面図
【図４】左手でグリップを握った状態を示す図
【図５】図４の５−５線に沿う断面図
【図６】製造工程を示す図
【図７】取り外し手順を示す図
【図８】参考例１ハンドカバーの平面図
【図９】参考例２ハンドカバーの平面図
【図１０】参考例３に係るハンドカバーの平面図
【図１１】特許文献１におけるハンドカバーの手に装着する状態を示す図
【図１２】上記ハンドカバーのグリップ状態を示す断面図
【発明を実施するための形態】
【００２１】
以下、図に基づいて実施の形態を説明する。まず、図１〜７により第１実施例を説明する。
図１は、手１に装着した状態におけるハンドカバー１０の平面図である。なお、図示は左手で使用する状態を示すが、このハンドカバー１０は左手及び右手共通である。右手については説明を省略するが、左手と対称にして使用できる。
【００２２】
図１に示すように、ハンドカバー１０は、手１への装着時に、手のひら側となる手の内側全体を覆う程度のサイズを有する本体部１１と、その上面（裏面上）先端側に設けられた袋部１５とを有する。
袋部１５は、本体部１１の先端部上へ重なる重合部１５ａにより、本体部１１との間に形成される袋状の部分であり、親指３が差し込み可能な親指袋部１３と、４指４Ｆの先端部が差し込み可能な４指袋部１４を備える。
【００２３】
親指袋部１３と４指袋部１４は袋部１５を構成し、それぞれは袋空間を備えるとともに、この袋空間は後方（手首８側、図示では下方）へ向かって開放されている。１３ａ及び１４ａはそれぞれの開放端部である。すなわち親指袋部１３と４指袋部１４は、開放端部１３ａ及び１４ａの位置で開口し、開放端部１３ａ及び１４ａは開口縁部でもある。
【００２４】
開放端部１４ａは開放端部１３ａよりも先端側へ入り込んで形成され、手１にハンドカバー１０を装着したとき、４指４Ｆの各第２関節から手１の甲を開放端部１４ａより後方（手首側）へ露出させ、ハンドカバー１０の折り曲げや脱着を容易にするようになっている。
【００２５】
４指袋部１４内へ差し込まれる４指４Ｆのうち、人差し指４、中指５及び薬指６がそれぞれ第２関節近傍まで差し込まれている。小指７は差し込まれる部分が全体ではなく一部であるが、第２関節を含むほぼ全長が入っている。
【００２６】
４指袋部１４内へ差し込まれた４指４Ｆの各指先部は、指袋部１４内にて、差し込み方向（前後方向、図の上下方向）及びこれと直交する２方向、すなわち上下方向（図の紙面に直交方向）、横幅方向（図の左右方向）のいずれにも比較的自由に動き得る遊嵌状態になっている。
【００２７】
４指袋部１４内へ差し込まれた４指４Ｆの長さは、４指袋部１４内で比較的自由に動き得る状態でありながらも、４指袋部１４を脱落させずに安定して係止するに十分な長さであり、指先部の比較的長い差し込み長さとなっている。
但し、この長さは、爪先から第１関節まで、もしくは第２関節まで、さらには第２関節を越えて指の付け根側へまで延びるなど、任意に設定できる。また、比較的長い差し込み長さは、４指４Ｆのうちの少なくとも１指に設定すればよい。
【００２８】
親指袋部１３における親指３の差し込み長さは、爪先から第１関節まで程度の比較的短いものであるが、比較的小さな親指袋部１３の係止に十分となる。
また、親指袋部１３は本体部１１の側部に設けられ、４指袋部１４よりは後方に位置するが、手のひら部１２より先方側へ突出する端部に設けられるので、この位置も本体部の先端部ということにする。
【００２９】
なお本例では、親指袋部１３が４指袋部１４を挟んで手のひら部１２の左右に対称で一対設けられ、またハンドカバー１０も中心線ＣＬを挟んで左右対称に設けられている。
これにより、ハンドカバー１０は左手又は右手の共用を可能にしている。図示のものは左手用としての使用例である。左手用の場合は左の親指袋部１３を不使用し、右の親指袋部１３を使用する。右手用の場合は逆になる。
【００３０】
左右の親指袋部１３と４指袋部１４との間には破断容易部１７が形成されている。但し、この例は左手用のため、使用しない左側の親指袋部１３近傍にある破断容易部１７は破断されずにそのままであり、親指袋部１３と４指袋部１４が連続している（丸囲み拡大部Ｌ参照）。
一方、使用する右側の親指袋部１３近傍は、破断容易部１７を破断してスリット状の分離部１８になっている（丸囲み拡大部Ｒ参照）。親指袋部１３が分離部１８で４指袋部１４と連続しないことにより、グリップ時において、親指袋部１３の４指袋部１４に対する動きを異ならせ、親指袋部１３を指袋部１４に対して独立させて動かしてグリップを容易にすることができる。
【００３１】
破断容易部１７は、この部分で親指袋部１３と４指袋部１４との境界部を容易に分断できるようにしたものである。破断容易部とは、シート状などをなして連続する部分の一部を手でちぎる等により簡単に破断できるようにした弱体化構造が設けられている部分である。このような構造として、ミシン目などで破断を容易にするものがある。この例もミシン目で構成されている。ミシン目で形成された分離線の両側を持って反対側へ引っ張れば、隣り合うミシン目間の連結部が弱体部となって容易に破断されて、分離線に沿う１本のスリット状をなす分離部１８になる。
【００３２】
また、使用しない左側の親指袋部１３は、この部分の破断容易部１７を破断せずそのままにすることで４指袋部１４と連続した状態を維持させる。これにより、使用しない左側の親指袋部１３がぶらぶらしたり、本体部１１から勝手に折れ曲がったりすることで、グリップの握りに際して邪魔になるような事態の発生を避けることができる。
【００３３】
一方、ハンドカバー１０を右手用にする場合は、左側の破断容易部１７を破断して分離部１８とし、左側の親指袋部１３に左側の親指３を差し込んで使用可能にする。右側の破断容易部１７はそのままとし、右側の親指袋部１３を４指袋部１４と連続させ、不使用時の不用意な変形を防ぐ。
このようにすることで、共通のハンドカバー１０を、左右の手で快適に共用できる。
【００３４】
但し、ミシン目に代えて複数の長いスリットを一直線上へ断続的に設けたものや、破断容易部１７の先端部となる位置に、Ｖ字形などの切り込みを入れて切り離し易くしたものでもよい。さらには、重合部１５ａ側だけを分離部１８のように予めカットしたようなハーフカット構造でもよい。また、重合部１５ａ側だけでなく、本体部１１側まで浅い切り込みを入れたものでもよい。逆に、重合部１５ａ側だけに浅い切り込みを入れたものでもよい。
【００３５】
ここで、本体部１１と重合部１５ａの構成を図６のＡにより説明する。
図６は１枚の平板なシート状素材から立体的なハンドカバー１０を形成するための製造工程を示し、図６のＡは当初の原材料であるシート状素材１０ａを示す。このシート状素材１０ａは、展開形状にした本体部１１と重合部１５ａとを型取ることができる大きさの平面状部材である。
【００３６】
重合部１５ａは反転した状態で本体部１１の先端に折り線１０ｂにて直列に接続されている。また、本体部１１と重合部１５ａは中心線ＣＬに対してそれぞれ左右対称に設けられる。折り線１０ｂは中心線ＣＬに直交する直線状をなす。
但し、本体部１１と重合部１５ａは説明のために記載した仮想線であり、実際のシート状素材１０ａには記載されない（図６のＢ〜Ｄも同様）。
【００３７】
シート状素材１０ａは、厚さが０．１ｍｍ〜数ｍｍ程度のシート状をなす比較的柔軟な部材である。不織布や織布等の通気性のある布や、ポリエチレンやポリ塩化ビニールなどの適宜な合成樹脂製のフィルム等よりなり、グリップ９（図４）に巻き付けることができる程度の柔軟性を有すれば、種々な材料が利用可能である。なお、フィルムは非通気性が好ましい。
【００３８】
本体部１１は、手１を重ねることができる大きさ、すなわち手１の内側全体を覆う大きさになっている。より詳細に説明すると、本体部１１は、手１（親指が開いた状態）よりも若干大きく形成され、手のひら２を覆う手のひら部１２と、これから斜めに突出して開いた状態の親指３を覆う親指部１３ｂと、手のひら部１２から上方へ突出する親指以外の４指４Ｆを覆う４指部１４ｂとを備える。親指部１３ｂは中心線ＣＬを挟んで左右に対称で一対設けられる。
【００３９】
図示された重合部１５ａは、反転した状態であり、折り線１０ｂで本体部１１の上へ折り返すと、本体部１１の親指部１３ｂ及び４指部１４ｂの上に重なる、重合部１５ａ側の親指部１３ｃ及び４指部１４ｃを有する。なお重合部１５ａは、展開した状態では本体部１１側の重合部１５ａが重なる部分より大きめに形成され、本体部１１との間に空間を形成するように重合部１５ａを立体的に曲げた状態で本体部１１上へ重ねたとき、平面視で左右方向が本体部１１側とほぼ一致して重なるような大きさになっている。
【００４０】
図２は、Ａにハンドカバー１０単独の平面図を示し、図中の丸囲み部に２−２線に沿う拡大断面（略図）を併せて示す。図３は図２の３−３線に沿う断面図である。
これらの図に示すように、重合部１５ａは本体部１１の上に重なった状態で周囲を結合される。この結合方法は、圧着、溶着、接着、縫合等種々可能である。本例は圧着であり、符号１６は圧着による結合部を示す。
【００４１】
重合部１５ａの４指部１４ｃは、左右と先端を結合部１６で本体部１１の４指部１４ｂの左右と先端へ圧着される。なお先端側は、重合部１５ａと本体部１１が折り線１０ｂで連続しているので、この部分の圧着を省略してもよい。
【００４２】
図中の丸囲み部に示すように、重合部１５ａの４指部１４ｃと本体部１１の４指部１４ｂとの圧着により、両部材間に袋空間１４ｄが形成される。この袋空間１４ｄは開放端部１４ａにて後方側へ開放され、４指４Ｆの各先端を揃えて容易に差し込み可能な程度の大きさに設定されている。これにより、重合部１５ａの４指部１４ｃと本体部１１の４指部１４ｂとで、４指袋部１４が形成されている。
【００４３】
重合部１５ａにおける左右の各親指部１３ｃは、それぞれ左右及び先端で本体部１１の対応する親指部１３ｂの左右及び先端と結合部１６にて圧着される。なお先端側の圧着有無は任意である。
【００４４】
図中の丸囲み部に示すように、重合部１５ａの親指部１３ｃと本体部１１の親指部１３ｂとの圧着により、両部材間に袋空間１３ｄが形成される。この袋空間１３ｄは開放端部１３ａにて後方側へ開放され、親指の少なくとも先端を容易に差し込み可能な程度の大きさに設定されている。
これにより、重合部１５ａの親指部１３ｃと本体部１１の親指部１３ｂとで親指袋部１３が形成されている。隣接する親指袋部１３と４指袋部１４との間は結合部１６で閉じられることにより、親指袋部１３が４指袋部１４から独立したものとなっている。
【００４５】
破断容易部１７は、予め左右の親指袋部１３における４指袋部１４との境界部にそれぞれ設けられている（図２のＡ参照）。
この破断容易部１７は先端側から後方へ向かって直線状に形成されたミシン目により形成される。この破断容易部１７を設けることにより、グリップ時に使用する親指袋部１３と４指袋部１４の境界部に分離部１８を容易に設けて、親指袋部１３の動きを容易にする。
【００４６】
図４のＢは、Ａの一部を変更した変型例を示す部分平面図である。この例では、左右の親指袋部１３近傍部に破断容易部１７でなく分離部１８が設けられている。このようにすると、左右いずれの手を用いる場合でも、破断容易部１７を破断して分離部１８を設ける必要がなく、直ちに親指袋部１３のスムーズな動きを可能にすることができる。
【００４７】
図３に示すように、袋空間１４ｄの高さは先端側から後方へ向かって次第に増加するように変化し、開放端部１４ａでの高さが最大となっている。これは指の太さの変化に対応し、指の太さよりも袋空間１４ｄの高さを高くして指との間に十分大きな間隙を設けたものであり、各指先部は、袋空間１４ｄ内において比較的自由な動きが許容されている。
【００４８】
また、４指袋部１４は開放端部１４ａにおいて開口し、ここで後方へ向かって開放されている。この開口の大きさは、この部分における指先部よりも大きくなっている。
ここで指先部より大きいとは、開口面積が、この部分における指先部の断面積より大きいことであり、差し込まれる指先部が複数の場合は、各断面積の合計よりも開口面積が大きいことである。
【００４９】
このようにすると、４指４Ｆの指先部を抵抗なくスムースに差し込みや抜き出しができる。
したがって、４指袋部１４は４指４Ｆを揃えた状態で余裕をもって差し込みや抜き出しができるようになっている。
【００５０】
なお、親指袋部１３の袋空間１３ｄも同様であり、親指の指先部が余裕を持って差し込まれ、かつ内部で比較的自由に動けるようになっている。
また、開放端部１３ａを開口縁部とする開口が形成されており、この開口の大きさも親指の指先部より大きく形成され、親指の差し込みや抜き出しが容易になるように設定されている。
したがって、親指袋部１３も親指３の指先部を差し込み及び抜き出すことを容易かつ迅速にできるようになっている。
【００５１】
次に、ハンドカバー１０によるグリップ９の被覆について説明する。
図４は手１へハンドカバー１０を装着した状態でグリップ９を握った状態を示す図である。Ａはグリップ９を握った状態の手１を甲側から示す図、Ｂは反対側から一部を示す図である。
【００５２】
Ａに示すように、この例のグリップ９は略三角リング状をなし、その底辺相当部が水平な下部９ａをなし、ここがハンドカバー１０の中央部へ重なり、親指３の股部３ａの上を通っている。ハンドカバー１０を装着した手１でグリップ９の下部９ａを握ることにより、ハンドカバー１０を介して下部９ａが把持される。
Ｂに示すように、手１の内側にてハンドカバー１０が下部９ａに対してその外周を巻くように重なる。なおＢにおける親指３は握り位置に回動している状態である。
【００５３】
このグリップ９の握りに先だって、ハンドカバー１０を装着した手１をグリップ９へ接近させるとき、ハンドカバー１０は指先部に係止された袋部１５を介して、安定して支持されているので、先端部が垂れて折り曲がるような不都合が生じず、ハンドカバー１０の不都合な変形に邪魔されることなく速やかにグリップを握ることができる。このためハンドカバー１０の本体部１１でグリップの周囲を迅速かつ正確に覆うことができる。
【００５４】
また、４指袋部１４は４指４Ｆの指先部に係止され、親指袋部１３も親指３の指先部に係止されているので、４指４Ｆ及び親指３の各指先部と一緒に曲がるようになり、上記不都合な変形を考慮せずに各指先部を曲げることができる。
【００５５】
図５は図４の５−５線に沿う断面図であり、４指４Ｆを下部９ａの外周上側に沿うように曲げることにより、下部９ａの上側には４指袋部１４が重なる。下部９ａの側部内側には本体部１１の手のひら部１２が重なる。また、親指３を手のひら２の上へ重なるように握り位置へ回動することで、下部９ａの下方から外側側方へは親指袋部１３が重なる。
これにより、グリップ９の下部９ａにおける外周部周囲はハンドカバー１０でくるまれ、手１の内側がグリップ９の下部９ａと接触しなくなる。
【００５６】
図６はハンドカバー１０の製法を示す。Ａは先述した当初のシート状素材１０ａを示す平面図、Ｂは重合部側の一部をカットする１次カットの工程を示す図、Ｃは重合部を折り曲げて本体部に重ねる折り曲げ工程を示す図、Ｄは重合部を本体部へ圧着しつつ、周囲を最終形状にカットする２次カットの工程を示す図である。
【００５７】
Ａに示す展開形状のシート状素材１０ａに対して、Ｂに示すように、重合部１５ａの開放端部１３ａ及び１４ａより先端側のハッチング部分を１次カットする。
次に、Ｃに示すように、重合部１５ａを折れ線１０ｂに沿って本体部１１の上へ折り返すとともに、左右方向を上方へ凸に湾曲させ、左右方向端部が平面視で、本体部１１の親指部１３ｂ及び４指部１４ｂの左右端部と重なるようにする。
【００５８】
この状態で、Ｄに示すように、重合部１５ａの先端及び左右に沿って圧着して結合部１６を形成するとともに、周囲のハッチング部分を２次カットし、立体的なハンドカバー１０を形成する。
【００５９】
このとき、親指部１３ｃの左右も圧着し、親指部１３ｃの内側における結合部１６と、これに隣接する４指部１４ｃの左右方向における結合部１６を、間隔を持って略平行する略直線状に形成し、これら略平行する２直線の間に先端側から後方の開放端部１３ａに向かってミシン目の破断容易部１７を直線状に形成する。
【００６０】
なお、圧着による結合部１６の形成と破断容易部１７の形成は、２次カットをプレスカットとすることにより同時に形成できる。
このようにすると、平面的なシート状素材から、簡単なプレス加工により、連続して効率よく立体的なハンドカバー１０を製造でき、量産性に優れたものになる。
【００６１】
図７はハンドカバー１０をコンパクトに折りたたんで取り外す手順を説明する図である。
Ａはグリップからハンドカバー１０を離した状態の断面図であり、ハンドカバー１０は袋部１５へ指先部を差し込んでいるため手１へ装着された状態を維持されるが、本体部１１の手首側は手１から離れて垂れ下がる。
【００６２】
Ｂは、手のひら部１２の中間部にて表側を内側にして折り曲げ、垂れ下がった手首側の端部を先端側へ重ねる状態を示す。この折り曲げは、本体部１１を４指４Ｆと親指の間に挟み、親指を手のひら側へ近づけると、表側へ触ることなく容易に２つ折り状態になる。
【００６３】
Ｃは、４指袋部１４にて手のひら部１２の手首側の端部を固定することを示す。上記Ｂの状態において、開放端部１４ａを持って４指袋部１４を矢示のように裏返すと、裏返った４指袋部１４が手のひら部１２の手首側の端部上に重なり、本体部１１の先端部と手のひら部１２の手首側の端部とが重なった状態で一体化される。
【００６４】
このとき、４指４Ｆの先端は４指袋部１４から外へ出ているため、ハンドカバー１０はそのまま廃棄可能になる。
しかも、取り外しと廃棄は、グリップにより汚染されている表面へ手１を触れずに、迅速かつ容易におこなわれる。また、４指袋部１４を有効に利用してコンパクトに折りたたんで廃棄できる。
【００６５】
なお、ハンドカバー１０の取り外しと廃棄は、上記のように折りたたまずに、より簡単かつ迅速にすることができる。
すなわち、図７のＡにおいて、手１の全体を下に向けると、４指４Ｆの各指先部が下に向くため、４指袋部１４が指先部から脱落し、ハンドカバー１０は自重により速やかに落下して廃棄される。この場合、４指４Ｆの指先部の向きを下向きにするだけで他に何もせず、かつハンドカバー１０の表面に手を触れることなく迅速に取り外しと廃棄ができる。
【００６６】
次に、本実施例の作用を説明する。
ハンドカバー１０を手１へ取付けるには、図１に示すように、手１を本体部１１の上に置き、４指４Ｆの指先部を４指袋部１４の中へ差し込み、同時に親指３を親指袋部１３の中へ差し込む。このとき、親指袋部１３及び４指袋部１４の袋状空間１３ｄ及び１４ｄ並びにそれぞれの開口は十分に大きく、それぞれの間口も十分に大きくなっているので、各指はスムーズに袋部１５内へ入ることができる。
これによりハンドカバー１０は４指袋部１４及び親指袋部１３を介して指先に支持された状態で手１へ装着される。その結果、ハンドカバー１０を迅速かつ容易に手１へ装着することができる。
【００６７】
４指袋部１４は、内部へ入った４指４Ｆの指先部に係止される。このとき４指袋部１４は、内部の指先部よりも大きく、これらを比較的自由に動ける状態にするにもかかわらず、指先に袋をかけて覆った状態であり、かつ指先の差し込み長さを比較的長くすることもあって、指先へ脱落することなく確実に支持される。また、親指袋部１３も同様に親指３の指先部に係止される。
【００６８】
このため、ハンドカバー１０は４指袋部１４及び親指袋部１３を介して指先に支持された状態で手１へ安定して装着される。しかも、ハンドカバー１０は各指先部で係止されるので、グリップ９を握るとき、把持に先立って先端部が垂れて折れ曲がってしまう等の不都合を生じない。その結果、グリップ９を握れば、同時にハンドカバー１０がグリップ９を迅速かつ正確に覆うことができる。
【００６９】
また、図６に示すように、袋部１５は本体部１１の先端部から延長形成された重合部１５ａを折り返して形成され、しかも１枚シート状素材１０ａから形成できるので、袋部１５の形成が容易である。そのうえ、重合部１５ａを本体部１１と重ねて圧着するので、周囲をプレスカットするとき一緒に圧着で結合させることができ、効率よくハンドカバー１０を製造できる。
【００７０】
さらに、図２に示すように、袋部１５を、左右一対の親指袋部１３と４指袋部１４とで構成するとともに、親指袋部１３と４指袋部１４を一度に効率よく設けることができ、かつ親指袋部１３を４指袋部１４と独立させて設けて、親指袋部１３を独自に動きやすくすることができる。
また、親指袋部１３を左右一対で設けることにより、左手と右手の共用を可能にする。
【００７１】
次に、本実施例の効果を説明する。
図１〜５に示すように、ハンドカバー１０は、指先部の差し込み方向へ向かって指先部より大きく開口している袋部１５を備えるので、この袋部１５へ指先部をスムーズに差し込むことができ、袋部１５を指先部に係止させることができる。これにより、ハンドカバー１０を容易かつ迅速に手１へ装着できる。
また、袋部１５が指先部に係止されることにより、ハンドカバー１０の装着は安定したものになる。このため、グリップ９を握り、ハンドカバー１０で迅速かつ正確にグリップ９を覆うことができる。
【００７２】
さらに、本体部１１は手１の内側全体を覆うので、グリップ時には、本体部１１により手のひらのみならず指もグリップ９へ接触させないようにでき、グリップ９からの手１への汚染を防止できる。
【００７３】
グリップ９の握りを解いてハンドカバー１０を手から取り外すときは、指先部を下方へ向けるだけでハンドカバー１０を手１から速やかに脱落させ、直ちに廃棄できる。
したがって、ハンドカバー１０の取り外しを容易かつ迅速にできるようにするとともに、汚染された本体部１１の表面へ手１を触れずに取り外すことができ、より確実な汚染防止を実現できる。
【００７４】
このとき、図７に示すように、汚染された本体部１１の表面へ手１を触れることなく、袋部１５を利用してコンパクトに折りたたんで簡単かつ迅速に取り外すことができ、その後直ちにかつ容易に廃棄することもできる。
【００７５】
また、袋部１５に、親指以外の４指４Ｆの少なくとも一部指先部を差し込む４指袋部１４を備えることにより、４指４Ｆの指先部を４指袋部１４へ差し込むことで、ハンドカバー１０を安定して装着でき、グリップ時においてもハンドカバー１０を扱いやすく、４指４Ｆに追随して折り曲げ易くすることができ、グリップを迅速かつ正確に覆うことができる。
【００７６】
さらに、袋部１５が、４指袋部１４に加えて親指を差し込む親指袋部１３を備えると、動きの異なる親指と４指４Ｆとの機能差に合わせ、４指袋部１４及び親指袋部１３を別々に動かすことができるので、グリップを容易にすることができる。
特に、親指袋部１３を設けることにより、グリップ９と接触し易い親指３を袋状に覆って保護し、グリップ９と接触させないようにすることができる。なお、４指袋部１４も４指４Ｆの差し込まれた部分を覆って保護する。
【００７７】
また、４指袋部１４を挟んで親指袋部１３を左右一対で備えると、左右いずれの手を用いても、４指４Ｆを共通の４指袋部１４へ差し込むとともに、親指３を左右いずれかの親指袋部１３へ差し込むことができるので、同じハンドカバー１０を右手と左手で共用できるようになる。
【００７８】
さらに、左右の親指袋部１３と４指袋部１４との間にそれぞれ破断容易部１７を設けると、左右どちらの手を使った場合側でも、使用する側の親指袋部１３近傍に設けられた破断容易部１７を破断して分離部１８を容易に形成でき、親指袋部１３の４指袋部１４に対する異なった動きを容易にする。
【００７９】
一方、使用しない親指袋部１３側の破断容易部１７をそのままとすることにより、使用しない親指袋部１３を４指袋部１４に連結して、親指袋部１３が不用意に折れ曲がるなどの不都合な動きを防止できる。
このため、左右いずれの手でもハンドカバー１０の確実な使用を可能にする。
【００８０】
さらに、グリップ時における親指３と４指４Ｆの動きが異なるが、親指が差し込まれた親指袋部１３と４指袋部１４との間に分離部１８を形成すると、親指袋部１３が４指袋部１４と独立して動くことを可能にする。このため、親指と４指４Ｆとの機能差に合わせて親指袋部１３を動かしてグリップを一層容易にすることができる。
【００８１】
また、袋部１５が、本体部１１の先端部を覆い、本体部１１との間に袋部空間１４ｄを形成する重合部１５ａを備え、この重合部１５ａを本体部１１と圧着により結合すると、全体の外形等をプレスカットするとき、一緒に圧着結合できるので、袋部１５を容易に形成でき、ハンドカバーの製造を効率化することができる。
【００８２】
このとき、重合部１５ａが本体部１１の先端を延長して形成され、本体部１１の先端にて折り返されて本体部１１の上に重なるようにすると、平面状のシート素材１０ａから容易に形成することができ、量産性を高めることができる。
【００８３】
図８は参考例１に係るハンドカバー１０Ａの平面図を示す。
このハンドカバー１０Ａは、実施例に係る図２に示すハンドカバー１０から親指袋部１３を排除したものに相当する。すなわち、重合部１５ａＡは左右の親指部１３ｃを備えず、４指部１４ｃのみであり、その結果、袋部１５Ａは４指袋部１４のみとなる。
親指３は本体部１１の親指部１３ｂの上に重なるだけであり、親指３は袋部を係止していない。
【００８４】
このようにしても、袋部１５Ａとして４指袋部１４があり、ここへ４指４Ｆの指先部を差し込むことにより、ハンドカバー１０Ａを手１に対して迅速に着脱でき、前記実施例と同様の効果を奏することができる。
なお、親指３は親指袋部に入らず本体部１１の上に露出することになるが、グリップ時に親指部１３ｂにより覆われるので、グリップとの接触を回避できる。
【００８５】
図９は参考例２に係るハンドカバー１０Ｂの平面図を示す。
このハンドカバー１０Ｂは、上記参考例１に係るハンドカバー１０Ａから左右いずれか一方の親指部１３ｂを削除したものに相当する。図示のものは、右側の親指部１３ｂを削除したことにより、右手専用にしたものである。なお、左側の親指部１３ｂを削除すれば左手専用のものになる。このようにすると、右手及び左手共用にすることはできないが、比較的小型にした簡易なものにすることができる。
【００８６】
なお、図２のハンドカバー１０から左右いずれか一方の親指袋部１３を削除することもできる。この場合は、袋部として４指袋部１４と左右いずれか一方の親指袋部１３を有する右手又は左手専用のものとすることができる。
【００８７】
図１０は参考例３に係るハンドカバー１０Ｃの平面図を示す。ＡとＢに示すハンドカバー１０Ｃは同じであり、Ａは右手で使用する状態、Ｂは左手で使用する状態を示す。
このハンドカバー１０Ｃは袋部１５Ｃが、親指３と４指４Ｆの各指先部を単一の袋空間内へ一緒に差し込める幅を有する単一のものになっている。したがって独立した４指袋部と左右の親指袋部が存在しない。袋部１５Ｃの横幅は、開いた状態の親指３と４指４Ｆを一緒にして収容できる寸法になっており、袋部１５Ｃの開口幅も袋部１５Ｃの横幅とほぼ一致する程度に大きなものになっている。
【００８８】
このハンドカバー１０Ｃは中心線ＣＬに対して左右対称に形成され、右手及び左手共用である。すなわち、Ａに示すように、中心線ＣＬに対して、右手における４指４Ｆの中心（すなわち中指５と薬指６の間）を右側に偏らせれば、右手用として袋部１５Ｃへ親指３と４指４Ｆを収容して使用できる。符号１５ｂは袋部１５Ｃを構成する重合部１５ａＣの開放端部である。開放端部１５ｂは湾曲した曲線状をなし、４指４Ｆの付け根となる手のひらの上部及び親指３の上に重なる位置に形成されている。
【００８９】
また、Ｂに示すように、中心線ＣＬに対して、左手における４指４Ｆの中心を左側に偏らせれば、左手用として袋部１５Ｃへ親指３と４指４Ｆを収容して使用できる。
このようにすれば、袋部の構造をより簡単にして左手及び右手で共通使用できる簡便なハンドカバーを形成できる。
【００９０】
図中の仮想線１５ｃは、開放端部１５ｂと異なる位置に設けられた開放端部であって、親指３に重ならないように開放端部１５ｂに対してより先端側に移動して設けられるものを示す。開放端部を１５ｃのようにすると、図８に示す参考例１のように、袋部が親指袋部に相当する部分を備えず、４指袋部のみを有する形式のものにすることができる。
【００９１】
なお、本願発明は上記の実施例に限定されるものではなく、発明の原理内において種々に変形や応用が可能である。
例えば、グリップは、吊り輪や階段の手すりなど手で握って姿勢を保持するための部材のみならず、自動車やオートバイ等の乗り物のハンドル、ショッピングカートやキャリヤカート、ショッピング用かご、各種バッグ及びトランク等の運搬用具の握り部、さらにはドアノブなど、手で握る各種の部材を含む。
また、グリップはリング状等の曲線をなすものや、直線的なものも含む。
【００９２】
本体部１１はシート状に限らず、例えば、指と一緒に折り曲げ自在であるような柔軟なものであれば、ある程度の厚み（例えば、数ｍｍ〜数ｃｍ程度の厚み）がある素材でもよい。この場合、柔軟で指と一緒に折り曲げ自在であるため、グリップが容易であるとともに、所定の厚さにすることより手の汚染可能性を可及的に少なくすることができる。
【００９３】
このような素材は、紙などの天然素材やゴム及び各種樹脂材料などが可能である。
また素材をスポンジにすれば、軽量かつ肌触りが良好で使用感に優れたものになる。なお、このスポンジ材料も種々な樹脂材料が可能である。さらには、非通気性のフィルムやシートにすれば、薄くても細菌等の通り抜けをより確実に阻止できる。
【００９４】
４指袋部１４に差し込まれる指は、４指同時でなく、少なくともその一部（例えば、中指５）だけでもよい。また、差し込まれる指の先端部の長さは、手１に対して装着できる長さであれば足り、例えば、第１関節まで、もしくは第２関節までなど、自由である。
【００９５】
また、重合部１５ａは本体部１１と別体の部材でもよい。例えば、本体部１１と別素材を所定形状に形成したものを用意し、これを本体部１１上に重ねて結合一体化してもよい。この場合には、重合部１５ａの形状の自由度を大きくしたり、本体部１１と異なる強度等の特性を有するものにして、耐久性や軽量化を図る等が可能になる。
さらには、合成樹脂により、本体部１１と袋部１５を連続一体に成形したものでもよい。
【符号の説明】
【００９６】
１：手  ２：手のひら  ３：親指  ４Ｆ：４指  ５：中指  ９：グリップ  １０：ハンドカバー  １１：本体部  １２：手のひら部  １３：親指袋部  １４：４指袋部  １５：袋部  １６：結合部  １７：破断容易部  １８：分離部  
【要約】
【課題】手に対して容易かつ迅速に脱着でき、かつグリップを握ったとき、手をグリップに接触しないよう完全に覆うようにする。
【解決手段】ハンドカバー１０は、シート状をなし、手の内側全体覆う本体部１１と、この先端側に設けられる袋部１５を有する。袋部１５は親指の差し込まれる親指袋部１３と親指以外の４指４Ｆの指先部が差し込まれる４指袋部１４を有する。親指を親指袋部１３へ差し込み、４指４Ｆの指先部を４指袋部１４へ差し込むと、ハンドカバー１０は容易かつ迅速に手１へ装着される。また、指先部を下に向ければ、汚染されたハンドカバー１０の表面へ触ることなく、ハンドカバー１０を手１から容易かつ迅速に脱落させて廃棄することができる。
【選択図】  図１【図１】
0006837170.tif 000002
【図２】
0006837170.tif 000003
【図３】
0006837170.tif 000004
【図４】
0006837170.tif 000005
【図５】
0006837170.tif 000006
【図６】
0006837170.tif 000007
【図７】
0006837170.tif 000008
【図８】
0006837170.tif 000009
【図９】
0006837170.tif 000010
【図１０】
0006837170.tif 000011
【図１１】
0006837170.tif 000012
【図１２】
0006837170.tif 000013